(57)【特許請求の範囲】
【請求項１】
送信電力を抑制するための無線通信機の送信電力値自動制御方法において、
通信開始時に送信電力値を最大値にして送信を行う第１ステップと、
送信に予め定める所定回数成功するごとに送信電力値を予め定める所定量ずつ下げて送信を行う第２ステップと、
第２ステップで送信に失敗した場合、その送信に失敗した電力値より前記所定量大きく設定した電力値で送信を行う第３ステップと、
第３ステップで設定された送信電力値で送信に成功した場合、その第３ステップで設定された送信電力値を維持して送信を行う第４ステップと、
第３ステップで設定された送信電力値で送信に失敗した場合、送信電力値を最大値にして送信を行い、第２ステップに戻る第５ステップとを含むことを特徴とする無線通信機の送信電力値自動制御方法。
【請求項２】
送信電力を抑制するための無線通信機の送信電力値自動制御方法において、
通信開始時に送信電力値を最大値にして送信を行う第１ステップと、
送信に予め定める第１所定回数成功するごとに送信電力値を予め定める所定量ずつ下げて送信を行う第２ステップと、
第２ステップで送信に失敗した場合、その送信の失敗回数を計数し、その送信に失敗した電力値より前記所定量大きく設定した電力値で送信を行う第３ステップと、
第３ステップで設定された送信電力値で送信に成功した場合、第３ステップで前記計数した失敗回数が予め定める第２所定回数、計数されるまでは、送信電力を前記所定量小さくして送信を行い、第２ステップに戻る第４ステップと、
第３ステップで設定された送信電力値で送信に成功した場合、第３ステップで前記計数した失敗回数が前記第２所定回数、計数されると、その後、送信が失敗されるまで、第３ステップで設定された送信電力値を維持して送信を行う第５ステップと、
第３ステップで設定された送信電力値で送信に成功した場合、第３ステップで前記計数した失敗回数が前記第２所定回数、計数され、かつその後、送信が失敗されると、送信電力値を最大値にして送信を行い、第２ステップに戻る第６ステップと
第３ステップで設定された送信電力値で送信に失敗した場合、送信電力値を最大値にして送信を行い、第２ステップに戻る第７ステップとを含むことを特徴とする無線通信機の送信電力値自動制御方法。
【請求項３】
送信電力を抑制するための無線通信機の送信電力値自動制御方法において、
通信開始時に送信電力値を最大値にして送信を行う第１ステップと、
送信に予め定める第１所定回数成功するごとに送信電力値を予め定める所定量ずつ下げて送信を行う第２ステップと、
第２ステップで送信に失敗した場合、その送信の第１の失敗回数Ａを計数し、その送信に失敗した電力値より前記所定量大きく設定した電力値で送信を行う第３ステップと、
第３ステップで設定された送信電力値で送信に成功した場合、第３ステップで前記計数した第１の失敗回数Ａが予め定める第２所定回数、計数されるまでは、送信電力を前記所定量小さくして送信を行い、第２ステップに戻る第４ステップと、
第３ステップで設定された送信電力値で送信に成功した場合、第３ステップで前記計数した第１の失敗回数Ａが前記第２所定回数、計数されると、前記第２所定回数の後における送信の第２の失敗回数Ｂを計数し、送信の第２の失敗回数Ｂが予め定める第３所定回数、計数されるまでは、第３ステップで設定された送信電力値を維持して送信を行う第５ステップと、
第５ステップの第２の失敗回数Ｂが前記第３所定回数、計数されると、送信電力値を最大値にして送信を行い、第２ステップに戻る第６ステップと、
第３ステップで設定された送信電力値で送信に失敗した場合、送信電力値を最大値にして送信を行い、第２ステップに戻る第７ステップとを含むことを特徴とする無線通信機の送信電力値自動制御方法。
【請求項４】
通信が行われない時間が予め設定した時間に達した場合には、送信電力値を最大値にし、前記最適送信電力値の設定を行うことを特徴とする請求項１〜３のいずれかに記載の無線通信機の送信電力値自動制御方法。
【請求項５】
前記最大送信電力値で送信に失敗した場合、送信電力値を最大のままデータの再送を行うことを特徴とする請求項１〜４のいずれかに記載の無線通信機の送信電力値自動制御方法。
【請求項６】
送信電力を抑制するための無線通信機の送信電力値自動制御方法を記憶した記憶媒体において、
通信開始時に送信電力値を最大値にして送信を行う第１ステップと、
送信に予め定める所定回数成功するごとに送信電力値を予め定める所定量ずつ下げて送信を行う第２ステップと、
第２ステップで送信に失敗した場合、その送信に失敗した電力値より前記所定量大きく設定した電力値で送信を行う第３ステップと、
第３ステップで設定された送信電力値で送信に成功した場合、その第３ステップで設定された送信電力値を維持して送信を行う第４ステップと、
第３ステップで設定された送信電力値で送信に失敗した場合、送信電力値を最大値にして送信を行い、第２ステップに戻る第５ステップとを含む送信電力値自動制御方法を記憶したことを特徴とする記憶媒体。
【請求項７】
送信電力を抑制するための無線通信機の送信電力値自動制御方法を記憶した記憶媒体において、
通信開始時に送信電力値を最大値にして送信を行う第１ステップと、
送信に予め定める第１所定回数成功するごとに送信電力値を予め定める所定量ずつ下げて送信を行う第２ステップと、
第２ステップで送信に失敗した場合、その送信の失敗回数を計数し、その送信に失敗した電力値より前記所定量大きく設定した電力値で送信を行う第３ステップと、
第３ステップで設定された送信電力値で送信に成功した場合、第３ステップで前記計数した失敗回数が予め定める第２所定回数、計数されるまでは、送信電力を前記所定量小さくして送信を行い、第２ステップに戻る第４ステップと、
第３ステップで設定された送信電力値で送信に成功した場合、第３ステップで前記計数した失敗回数が前記第２所定回数、計数されると、その後、送信が失敗されるまで、第３ステップで設定された送信電力値を維持して送信を行う第５ステップと、
第３ステップで設定された送信電力値で送信に成功した場合、第３ステップで前記計数した失敗回数が前記第２所定回数、計数され、かつその後、送信が失敗されると、送信電力値を最大値にして送信を行い、第２ステップに戻る第６ステップと
第３ステップで設定された送信電力値で送信に失敗した場合、送信電力値を最大値にして送信を行い、第２ステップに戻る第７ステップとを含む送信電力値自動制御方法を記憶したことを特徴とする記憶媒体。
【請求項８】
送信電力を抑制するための無線通信機の送信電力値自動制御方法を記憶した記憶媒体において、
通信開始時に送信電力値を最大値にして送信を行う第１ステップと、
送信に予め定める第１所定回数成功するごとに送信電力値を予め定める所定量ずつ下げて送信を行う第２ステップと、
第２ステップで送信に失敗した場合、その送信の第１の失敗回数Ａを計数し、その送信に失敗した電力値より前記所定量大きく設定した電力値で送信を行う第３ステップと、
第３ステップで設定された送信電力値で送信に成功した場合、第３ステップで前記計数した第１の失敗回数Ａが予め定める第２所定回数、計数されるまでは、送信電力を前記所定量小さくして送信を行い、第２ステップに戻る第４ステップと、
第３ステップで設定された送信電力値で送信に成功した場合、第３ステップで前記計数した第１の失敗回数Ａが前記第２所定回数、計数されると、前記第２所定回数の後における送信の第２の失敗回数Ｂを計数し、送信の第２の失敗回数Ｂが予め定める第３所定回数、計数されるまでは、第３ステップで設定された送信電力値を維持して送信を行う第５ステップと、
第５ステップの第２の失敗回数Ｂが前記第３所定回数、計数されると、送信電力値を最大値にして送信を行い、第２ステップに戻る第６ステップと、
第３ステップで設定された送信電力値で送信に失敗した場合、送信電力値を最大値にして送信を行い、第２ステップに戻る第７ステップとを含む送信電力値自動制御方法を記憶したことを特徴とする記憶媒体。
【請求項９】
通信が行われない時間が予め設定した時間に達した場合には、送信電力値を最大値にし、前記最適送信電力値の設定を行う請求項６〜８のいずれかに記載の送信電力値自動制御方法を記憶したことを特徴とする記憶媒体。
【請求項１０】
前記最大送信電力値で送信に失敗した場合、送信電力値を最大のままデータ再送する請求項６〜９のいずれかに記載の送信電力値自動制御方法を記憶したことを特徴とする記憶媒体。
【発明の詳細な説明】
【０００１】
【発明の属する技術分野】
本発明は、無線通信機の送信電力値自動制御方法およびそれを記憶した記憶媒体に関する。
【０００２】
【従来の技術】
無線通信機の多くは、基地局にデータをブロック単位で送信し、送信に成功した場合には基地局から肯定応答（Acknowledge；ＡＣＫ）信号を受信し、送信に失敗した場合には基地局から再送要求を示す否定応答（Negative Acknowledge；ＮＡＣＫ）信号を受信し、ＮＡＣＫ信号を受信した場合、データを基地局に再送する。
【０００３】
また、無線通信機の電源には、充電式のバッテリが使用されており、バッテリの寿命は無線通信機の消費電力が大きくなるほど短くなる。よって、バッテリの寿命を長くするためには、無線通信機の消費電力を制御して無駄な電力を抑制する必要がある。
【０００４】
無線通信機の消費電力を低減する方法の一例が、特開平１０−１３３３８号公報に開示されている。この方法では、予め連続送信成功の所定回数ｍを設定しておき、送信にｍ回成功した場合に送信電力値を所定量ずつ下げていき、送信に１回失敗した場合に送信電力値を所定量上げて、送信電力を調整している。
【０００５】
図８は、特開平１０−１３３３８号公報に開示される従来の無線通信機の送信電力値自動制御方法を示すフローチャートである。まず、ステップＳ３０１にて無線通信機の電源が投入されると、初期状態となり送信成功回数を計測する送信成功カウンタが初期化され、ｘ＝０が設定される（Ｓ３０２）。
【０００６】
次に、基地局へデータを送信し、基地局から返送される応答信号、つまりＡＣＫ信号またはＮＡＣＫ信号を待ち（Ｓ３０３）、ステップＳ３０４でＡＣＫ信号を受信したか否かを判断する。
【０００７】
ステップＳ３０４でＡＣＫ信号を受信したと判断されたら、送信成功カウンタに１を加算する（Ｓ３０５）。ステップＳ３０６では、送信成功回数ｘが所定回数ｍと等しいか否かを判断し、送信成功回数ｘが所定回数ｍと等しくないなら、ステップＳ３０３に戻る。続いて再びステップＳ３０４でＡＣＫ信号を受信すると、送信成功カウンタに１を加算する（Ｓ３０５）。
【０００８】
ステップＳ３０６で再びＡＣＫ信号を所定回数ｍ回受信したか否かを判断し、ｍ回受信したと判断された場合には、送信電力を予め設定した所定量下げて（Ｓ３０８）、応答信号の待機状態に戻る（Ｓ３０３）。
【０００９】
なお、ステップＳ３０４でＮＡＣＫ信号を受信したと判断された場合またはＡＣＫ信号を受信できなかった場合は、ステップＳ３０９で送信成功カウンタを０にして、直ちに送信電力を所定量上げ（Ｓ３１０）、ステップＳ３０３に戻る。
【００１０】
前記従来技術では、このように送信電力を制御することによって、無線通信機の現時点における送信電力が最適値となるように、消費電力を減らして通信を行い、バッテリの寿命を延命させようとしている。ここで、送信電力の最適値とは、基地局で受信可能な現時点における最小送信電力値のことである。
【００１１】
次に、前記従来技術による無線通信機の送信電力値のレベル推移について説明する。なお、この従来の送信電力値自動制御方法では、通信開始時の送信電力値は、前回の通信終了時の送信電力値が選ばれる。図９は、従来の無線通信機において、前回の通信における送信電力が今回の通信の最適値より大きい場合の送信電力値のレベル推移を示すグラフである。図９では、ＡＣＫ信号を連続で所定回数、ここではｍ＝３回受信するごとに、予め設定した所定量送信電力を降下させる場合の送信電力値のレベル推移を示し、この例では初期値から３回送信電力を下げたとき、ＮＡＣＫ信号を受信し、直ちに送信電力を所定量上昇させたことを示している。
【００１２】
図１０は、前回の通信における送信電力が今回の通信の最適値より小さい場合の送信電力値のレベル推移を示すグラフである。図１０では、ＮＡＣＫ信号を受信し、直ちに送信電力を所定量上昇する動作を３回繰り返したとき、ＡＣＫ信号を受信し、その電力値で所定回数、ここではｍ＝３回連続で送信を行う。この送信に成功しＡＣＫ信号をｍ＝３回連続で受信すると、送信電力を所定量降下させ、再びＮＡＣＫ信号を受信したので、直ちに送信電力を上昇させている。この後、ＡＣＫ信号を３回連続で受信した場合は、送信電力を所定量降下させ、再びＮＡＣＫ信号を受信した場合は、直ちに送信電力を上昇させる制御を繰り返し行っている。
【００１３】
【発明が解決しようとする課題】
前記従来技術による送信電力値自動制御方法では、図１０で説明したように、送信電力を所定量ずつしか上昇させないので、前回の通信の送信電力が現在の最適値よりも何ステップも小さかった場合には、送信電力を何ステップも上昇させる必要があり、送信電力が最適値になるまで連続で送信に失敗するといった問題を有する。
【００１４】
また、最適な送信電力で通信している状態でも、図１０に示すように送信に所定回数成功すれば送信電力を所定量下げてしまうので、送信に失敗する可能性は高くなる。ここで、通信に失敗した場合には、送信電力を上げて再送を行う必要があり、送信電力値を抑制するために送信電力を下げたつもりが、逆に再送にかかる余分な電力を消費することになる。
【００１５】
本発明の目的は、無線通信機の低消費電力化のため、無駄な消費電力を極力なくすように送信電力を調整し、最適な送信電力で通信することができる送信電力値自動制御方法およびそれを記憶した記憶媒体を提供することである。
【００１６】
【課題を解決するための手段】
本発明は、送信電力を抑制するための無線通信機の送信電力値自動制御方法において、
通信開始時に送信電力値を最大値にして送信を行う（図２のＳ１０１）第１ステップと、
送信に予め定める所定回数成功するごとに送信電力値を予め定める所定量ずつ下げて送信を行う（Ｓ１０２〜Ｓ１０６）第２ステップと、
第２ステップで送信に失敗した場合、その送信に失敗した電力値より前記所定量大きく設定した電力値で送信を行う（Ｓ１０７）第３ステップと、
第３ステップで設定された送信電力値で送信に成功した場合（Ｓ１０８）、その第３ステップで設定された送信電力値を維持して送信を行う（Ｓ１０９〜Ｓ１１１）第４ステップと、
第３ステップで設定された送信電力値で送信に失敗した場合（Ｓ１０８，Ｓ１１１）、送信電力値を最大値にして送信を行い、第２ステップに戻る（Ｓ１１２）第５ステップとを含むことを特徴とする無線通信機の送信電力値自動制御方法である。
【００１７】
本発明に従えば、通信開始時に送信電力値を最大値から順に下げて最適送信電力値を設定するので、前回の通信終了時における送信電力値が、今回の通信の最適値より低い場合であっても、前述した従来の送信電力値制御方法のように最適送信電力値を設定するまで何度も送信に失敗することを防ぐことができる。このため、通信成功率を低下させることなく、最適な送信電力を設定することが可能であり、無線通信機の送信電力値を抑制することができる。したがって、無線通信機のバッテリの寿命を延命させることができ、これによって無線通信機の使い勝手が向上する。なお、前記送信に失敗した場合とは、１回送信に失敗した場合でも、複数回送信に失敗した場合でもどちらでもかまわない。
【００１９】
送信に失敗するまで送信電力を最適送信電力値に維持し（Ｓ１０９〜Ｓ１１１）、前述した先行技術の送信電力値自動制御方法のように、送信に所定回数成功するごとに電力値を下げる制御が行われないので、最適電力値設定後に無駄な再送をすることを防止でき、無線通信機の送信電力値を抑制することができる。
【００２１】
最適送信電力値が設定された（Ｓ１０７）後に送信に失敗した場合には（Ｓ１１１）、通信状態が変わっている可能性があるので、送信電力値を最大値にし（Ｓ１１２）、最適送信電力値の再設定を行う。これによって、通信状態の変化に迅速に対応することができる。
【００２２】
また本発明は、送信電力を抑制するための無線通信機の送信電力値自動制御方法において、
通信開始時に送信電力値を最大値にして送信を行う（図４のＳ２０１）第１ステップと、
送信に予め定める第１所定回数成功するごとに（Ｓ２０９）送信電力値を予め定める所定量ずつ下げて送信を行う（Ｓ２１０）第２ステップと、
第２ステップで送信に失敗した場合、その送信の失敗回数を計数し（Ｓ２１３）、その送信に失敗した電力値より前記所定量大きく設定した電力値で送信を行う（Ｓ２１４）第３ステップと、
第３ステップで設定された送信電力値で送信に成功した場合、第３ステップで前記計数した失敗回数が予め定める第２所定回数、計数されるまでは（Ｓ２１６）、送信電力を前記所定量小さくして送信を行い、第２ステップに戻る（Ｓ２１０）第４ステップと、
第３ステップで設定された送信電力値で送信に成功した場合、第３ステップで前記計数した失敗回数が前記第２所定回数、計数されると（Ｓ２１６）、その後、送信が失敗されるまで、第３ステップで設定された送信電力値を維持して送信を行う（Ｓ２１７〜Ｓ２２０）第５ステップと、
第３ステップで設定された送信電力値で送信に成功した場合、第３ステップで前記計数した失敗回数が前記第２所定回数、計数され（Ｓ２１６）、かつその後、送信が失敗されると、送信電力値を最大値にして送信を行い、第２ステップに戻る（Ｓ２２０，Ｓ２２１）第６ステップと
第３ステップで設定された送信電力値で送信に失敗した場合、送信電力値を最大値にして送信を行い、第２ステップに戻る（Ｓ２１５，Ｓ２２１）第７ステップとを含むことを特徴とする無線通信機の送信電力値自動制御方法である。
【００２３】
本発明に従えば、第２所定回数、たとえば複数回数にわたって、同じ電力値おいて送信に失敗した場合に（図４のＳ２１６、図６のＳ４１６）、その電力値よりも所定量大きい電力値を最適送信電力値に設定するので（Ｓ２１４，Ｓ４１４）、一度送信に失敗したときの電力値が本当に通信不可能な範囲であるか否かを確認することができる。このため、本来通信可能な電力値であるにもかかわらず、ノイズなどの影響によって通信不可能であると判断されて、誤った最適送信電力値が設定されることを防止することができ、最適送信電力値を正確に設定することができる。
【００２４】
また本発明は、送信電力を抑制するための無線通信機の送信電力値自動制御方法において、
通信開始時に送信電力値を最大値にして送信を行う（図６のＳ４０１）第１ステップと、
送信に予め定める第１所定回数成功するごとに（Ｓ４０９）送信電力値を予め定める所定量ずつ下げて送信を行う（Ｓ４１０）第２ステップと、
第２ステップで送信に失敗した場合、その送信の第１の失敗回数Ａを計数し（Ｓ４１３）、その送信に失敗した電力値より前記所定量大きく設定した電力値で送信を行う（Ｓ４１４）第３ステップと、
第３ステップで設定された送信電力値で送信に成功した場合、第３ステップで前記計数した第１の失敗回数Ａが予め定める第２所定回数、計数されるまでは（Ｓ４１６）、送信電力を前記所定量小さくして送信を行い、第２ステップに戻る（Ｓ４１０）第４ステップと、
第３ステップで設定された送信電力値で送信に成功した場合、第３ステップで前記計数した第１の失敗回数Ａが前記第２所定回数、計数されると（Ｓ４１６）、前記第２所定回数の後における送信の第２の失敗回数Ｂを計数し（Ｓ４２７）、送信の第２の失敗回数Ｂが予め定める第３所定回数、計数されるまでは（Ｓ４２０，Ｓ４２７〜Ｓ４２９）、第３ステップで設定された送信電力値を維持して送信を行う（Ｓ４１７〜Ｓ４２０，Ｓ４２６）第５ステップと、
第５ステップの第２の失敗回数Ｂが前記第３所定回数、計数されると（Ｓ４２８）、送信電力値を最大値にして送信を行い、第２ステップに戻る（Ｓ４２１）第６ステップと、
第３ステップで設定された送信電力値で送信に失敗した場合、送信電力値を最大値にして送信を行い、第２ステップに戻る（Ｓ４１５，Ｓ４２１）第７ステップとを含むことを特徴とする無線通信機の送信電力値自動制御方法である。
【００２５】
本発明に従えば、最適送信電力値での送信失敗が第３所定回数に設定されているので（図６のＳ４２８）、送信電力の制御時におけるノイズなどの影響を低減できる。
上記第２および第３所定回数とは、複数回数が好ましい。
【００２６】
また本発明は、通信が行われない時間が予め設定した時間に達した場合には、送信電力値を最大値にし、前記最適送信電力値の設定を行うことを特徴とする。
【００２７】
本発明に従えば、通信が行われない時間が予め設定した時間に達した場合には、通信状態が変わっている可能性があるので、送信電力値を最大値にして前記最適送信電力値の設定を行う。これによって、通信状態の変化に迅速に対応することができる。
【００２８】
また本発明は、前記最大送信電力値で送信に失敗した場合、送信電力値を最大のままデータの再送を行うことを特徴とする。
【００２９】
本発明に従えば、送信電力値を最大に保持したまま、データの再送が行われるので、確実にデータの送受信を行うことができる。
【００３０】
また本発明は、送信電力を抑制するための無線通信機の送信電力値自動制御方法を記憶した記憶媒体において、
通信開始時に送信電力値を最大値にして送信を行う第１ステップと、
送信に予め定める所定回数成功するごとに送信電力値を予め定める所定量ずつ下げて送信を行う第２ステップと、
第２ステップで送信に失敗した場合、その送信に失敗した電力値より前記所定量大きく設定した電力値で送信を行う第３ステップと、
第３ステップで設定された送信電力値で送信に成功した場合、その第３ステップで設定された送信電力値を維持して送信を行う第４ステップと、
第３ステップで設定された送信電力値で送信に失敗した場合、送信電力値を最大値にして送信を行い、第２ステップに戻る第５ステップとを含む送信電力値自動制御方法を記憶したことを特徴とする記憶媒体である。
【００３１】
本発明の記憶媒体に従えば、通信開始時に送信電力値を最大値から順に下げて最適送信電力値を設定するので、前回の通信終了時における送信電力値が、今回の通信の最適値より低い場合であっても、前述した従来の送信電力値制御方法のように最適送信電力値を設定するまで何度も送信に失敗することを防ぐことができる。このため、通信成功率を低下させることなく最適な送信電力を設定することが可能であり、無線通信機の送信電力値を抑制することができる。したがって、無線通信機のバッテリの寿命を延命させることができ、これによって無線通信機の使い勝手が向上する。なお、前記送信に失敗した場合とは、１回送信に失敗した場合でも、複数回送信に失敗した場合でもどちらでもかまわない。
【００３３】
送信に失敗するまで送信電力を最適送信電力値に維持し、前述した従来の送信電力値自動制御方法のように、送信に所定回数を成功するごとに電力値を下げることはしないので、最適電力値設定後に無駄な再送をすることを防止でき、無線通信機の送信電力値を抑制することができる。
【００３５】
最適送信電力値が設定された後に送信に失敗した場合には、通信状態が変わっている可能性があるので、送信電力値を最大値にし、最適送信電力値の再設定を行う。これによって、通信状態の変化に迅速に対応することができる。
【００３６】
また本発明は、送信電力を抑制するための無線通信機の送信電力値自動制御方法を記憶した記憶媒体において、
通信開始時に送信電力値を最大値にして送信を行う（図４のＳ２０１）第１ステップと、
送信に予め定める第１所定回数成功するごとに（Ｓ２０９）送信電力値を予め定める所定量ずつ下げて送信を行う（Ｓ２１０）第２ステップと、
第２ステップで送信に失敗した場合、その送信の失敗回数を計数し（Ｓ２１３）、その送信に失敗した電力値より前記所定量大きく設定した電力値で送信を行う（Ｓ２１４）第３ステップと、
第３ステップで設定された送信電力値で送信に成功した場合、第３ステップで前記計数した失敗回数が予め定める第２所定回数、計数されるまでは（Ｓ２１６）、送信電力を前記所定量小さくして送信を行い、第２ステップに戻る（Ｓ２１０）第４ステップと、
第３ステップで設定された送信電力値で送信に成功した場合、第３ステップで前記計数した失敗回数が前記第２所定回数、計数されると（Ｓ２１６）、その後、送信が失敗されるまで、第３ステップで設定された送信電力値を維持して送信を行う（Ｓ２１７〜Ｓ２２０）第５ステップと、
第３ステップで設定された送信電力値で送信に成功した場合、第３ステップで前記計数した失敗回数が前記第２所定回数、計数され（Ｓ２１６）、かつその後、送信が失敗されると、送信電力値を最大値にして送信を行い、第２ステップに戻る（Ｓ２２０，Ｓ２２１）第６ステップと
第３ステップで設定された送信電力値で送信に失敗した場合、送信電力値を最大値にして送信を行い、第２ステップに戻る（Ｓ２１５，Ｓ２２１）第７ステップとを含む送信電力値自動制御方法を記憶したことを特徴とする記憶媒体である。
【００３７】
本発明に従えば、同じ電力値において複数回の送信に失敗した場合に、その電力値よりも所定量大きい電力値を最適送信電力値に設定するので、一度送信に失敗したときの電力値が本当に通信不可能な範囲であるか否かを確認することができる。このため、本来通信可能な電力値であるにもかかわらず、ノイズなどの影響によって通信不可能であると判断されて、誤った最適送信電力値が設定されることを防止することができ、最適送信電力値を正確に設定することができる。
【００３８】
また本発明は、送信電力を抑制するための無線通信機の送信電力値自動制御方法を記憶した記憶媒体において、
通信開始時に送信電力値を最大値にして送信を行う（図６のＳ４０１）第１ステップと、
送信に予め定める第１所定回数成功するごとに（Ｓ４０９）送信電力値を予め定める所定量ずつ下げて送信を行う（Ｓ４１０）第２ステップと、
第２ステップで送信に失敗した場合、その送信の第１の失敗回数Ａを計数し（Ｓ４１３）、その送信に失敗した電力値より前記所定量大きく設定した電力値で送信を行う（Ｓ４１４）第３ステップと、
第３ステップで設定された送信電力値で送信に成功した場合、第３ステップで前記計数した第１の失敗回数Ａが予め定める第２所定回数、計数されるまでは（Ｓ４１６）、送信電力を前記所定量小さくして送信を行い、第２ステップに戻る（Ｓ４１０）第４ステップと、
第３ステップで設定された送信電力値で送信に成功した場合、第３ステップで前記計数した第１の失敗回数Ａが前記第２所定回数、計数されると（Ｓ４１６）、前記第２所定回数の後における送信の第２の失敗回数Ｂを計数し（Ｓ４２７）、送信の第２の失敗回数Ｂが予め定める第３所定回数、計数されるまでは（Ｓ４２０，Ｓ４２７〜Ｓ４２９）、第３ステップで設定された送信電力値を維持して送信を行う（Ｓ４１７〜Ｓ４２０，Ｓ４２６）第５ステップと、
第５ステップの第２の失敗回数Ｂが前記第３所定回数、計数されると（Ｓ４２８）、送信電力値を最大値にして送信を行い、第２ステップに戻る（Ｓ４２１）第６ステップと、
第３ステップで設定された送信電力値で送信に失敗した場合、送信電力値を最大値にして送信を行い、第２ステップに戻る（Ｓ４１５，Ｓ４２１）第７ステップとを含む送信電力値自動制御方法を記憶したことを特徴とする記憶媒体である。
【００３９】
本発明に従えば、最適送信電力値での送信失敗の所定回数に設定されているので、送信電力の制御時におけるノイズなどの影響を低減できる。なお、上記所定回数とは、複数回であることが好ましい。
【００４０】
また本発明は、通信が行われない時間が予め設定した時間に達した場合には、送信電力値を最大値にし、前記最適送信電力値の設定を行う前述の送信電力値自動制御方法を記憶したことを特徴とする記憶媒体である。
【００４１】
本発明に従えば、通信が行われない時間が予め設定した時間に達した場合には、通信状態が変わっている可能性があるので、送信電力値を最大値にして前記最適送信電力値の設定を行う。これによって、通信状態の変化に迅速に対応することができる。
【００４２】
また本発明は、前記最大送信電力値で送信に失敗した場合、送信電力値を最大のままデータ再送する前述の送信電力値自動制御方法を記憶したことを特徴とする記憶媒体である。
【００４３】
本発明に従えば、送信電力値を最大に保持したまま、データの再送が行われるので、確実にデータの送受信を行うことができる。
【００４４】
【発明の実施の形態】
以下、パーソナルコンピュータなどのシステム本体と無線通信機である周辺装置とによる無線通信システムを例に本発明の実施の形態について説明する。図１は、周辺装置１０とシステム本体２０とによる無線通信システム１を示すブロック図である。無線通信システム１は、制御部２１、送信部２２および受信部２３を有するシステム本体２０と、制御部１１、受信部１３および送信部１４を有する周辺装置１０とによって構成される。
【００４５】
周辺装置１０とシステム本体２０は、データを赤外線などの無線信号によってブロック単位で送受信する。無線通信機である周辺装置１０がシステム本体２０にデータを送信するとき、送信に成功した場合にはシステム本体２０から送信される肯定応答（Acknowledge；ＡＣＫ）信号を周辺装置１０が受信し、送信に失敗した場合には再送要求を示す否定応答（Negative Acknowledge；ＮＡＣＫ）信号を受信する。このＮＡＣＫ信号を受信した場合、周辺装置１０はデータをシステム本体２０に再送する。
【００４６】
次に周辺装置１０について説明すると、受信部１３は受信データおよびＡＣＫ信号またはＮＡＣＫ信号などの無線信号をシステム本体２０から受信し、受信したデータを制御部１１へ受け渡す。
【００４７】
送信部１４は制御部１１から送られた送信データを無線信号としてシステム本体２０に送出する。送信部１４の電力制御部１５は、制御部１１から送られる電力制御信号が増加を示すものであれば送信電力を上げ、減少を示すものであれば送信電力を下げる。
【００４８】
制御部１１は、外部から与えられる送信データを送信部１４に送ったり、受信部１３から送信された応答信号を解析しＡＣＫ信号かＮＡＣＫ信号かを判断したり、電力減少信号または電力増加信号を送信電力制御信号として送信部１４の電力制御部１５に送出するなど、データの送受信に関する制御を行う。さらに、制御部１１は、タイマ１２を有し、データの送受信が行われない時間をカウントし、一定時間通信が行われない場合は、送信電力値を最大にする信号を送信部１４に送出する機能や、またデータを送信してからの時間をカウントし、この送信データに対しての応答が一定時間返ってこなかった場合は送信失敗と判断し、再送処理を行うなどの機能を有する。
【００４９】
続いてシステム本体２０について説明すると、受信部２３は、周辺装置１０から送信される無線信号を受信し、これを受信データとして制御部２１へ受け渡す。送信部２２は、制御部２１から受け取った送信データおよびＡＣＫ信号またはＮＡＣＫ信号などを周辺装置１０に送信する。
【００５０】
制御部２１は、送信するデータを送信部２２に送ったり、受信部２３から受信データを受け取ってエラーチェックを行い、エラーがなければＡＣＫ信号、エラーがあればＮＡＣＫ信号を送信部２２に伝える。
【００５１】
なお、周辺装置１０の電源には、充電式のバッテリが使用されており、バッテリの寿命は周辺装置１０の消費電力が大きくなるほど短くなる。よって、バッテリの寿命を長くするためには、周辺装置１０の消費電力を制御して無駄な電力を抑制する必要がある。
【００５２】
次に、バッテリ駆動する周辺装置１０の送信電力値自動制御方法について説明する。周辺装置１０は、通信開始時に送信電力値を最大値にして送信を行い、送信に所定回数成功するごとに送信電力値を所定量ずつ下げていき、所定量下げた電力値で送信に所定回数失敗した場合に、その電力値より所定量大きい電力値を最適送信電力値に設定し、送信に失敗するまで前記最適送信電力値を維持する。
【００５３】
なお、前記最適送信電力値設定時または設定後に、応答信号が一定時間返ってこなかった場合には、送信不成功と判断し、送信電力値を最大にして、最適送信電力値を設定し直す。送信電力の降下および上昇させる所定量は、予め外部から制御部１１に与えられ設定される。
【００５４】
前述した送信電力値自動制御方法は、周辺装置１０の制御部１１に設けられるＲＯＭ（Read Only Memory）などの記憶媒体にプログラムとして記憶される。また、ここでシステム本体２０は、一定送信電力で通信するものとする。
【００５５】
図２は本発明の実施の一形態である周辺装置１０の送信電力値自動制御方法を示すフローチャートである。図２に示す送信電力値自動制御方法では、送信電力値の上昇および下降させる所定量が設定され、送信成功および送信失敗の所定回数が共に１回に設定されている。
【００５６】
周辺装置１０は、ステップＳ１０１で初期状態として送信電力を最大に設定し、送信データがあるか否かを判断する（Ｓ１０２）。ステップＳ１０２で送信データがありと判断されると、ステップＳ１０３でデータをシステム本体２０に送信する。データ送信後、ステップＳ１０４で正しくデータが送信できたか否かを制御部１１で判断する。ここで、周辺装置１０がシステム本体２０からＡＣＫ信号を受信した場合は送信成功であり、ＮＡＣＫ信号を受信した場合または応答信号を受信できなかった場合は送信失敗であり、再送を行う必要がある。
【００５７】
ステップＳ１０４でＡＣＫ信号を受信し送信成功であると判断された場合は、送信電力が最小であるかを制御部１１で判定し（Ｓ１０５）、送信電力が最小でなければ送信電力を予め設定した所定量下げ（Ｓ１０６）、ステップＳ１０２へ戻る。ステップＳ１０５の判断で、送信電力が最小であると判断されると、ステップＳ１０９へ移る。
【００５８】
ステップＳ１０４でＮＡＣＫ信号を受信したと判断された場合または応答信号を受信送信できず送信失敗であると判断された場合は、送信電力が最大であるかを制御部１１で判断する（Ｓ１１３）。送信電力が最大でなければ直ちに送信電力を前記所定量上昇させ、１つ前の電力値に戻してデータ再送を行い（Ｓ１０７）、送信電力値が最大であれば送信電力値を最大のままデータ再送を行う（Ｓ１１４）。
【００５９】
ステップＳ１０８で送信成功であれば、この電力値を最適送信電力値として、ステップＳ１０９へ移る。この後、無駄な送信を行わないために、ステップＳ１１１で送信失敗であると判断されるまで、送信電力値を前記最適送信電力値に維持してステップＳ１０９からステップＳ１１１のシーケンスを繰り返す。
【００６０】
ステップＳ１０８またはステップＳ１１１で送信失敗であると判断された場合は、通信状態が変わっている可能性があるので、送信電力を最大値に戻し（Ｓ１１２）、ステップＳ１０２へ戻り、送信電力の再設定を行う。
【００６１】
図３は、図２に示す送信電力値自動制御方法による送信電力値のレベル推移を示すグラフである。図３では、まず送信電力値が最大の状態で送信を行い、ＡＣＫ信号を１回受信し、送信電力を所定量下げる動作を４回繰り返したときに、ＮＡＣＫ信号を受信し、送信電力を所定量上昇させ１つ前の状態に戻し再送を行ったことを示している。この後、再送した結果ＡＣＫ信号を受信し、その後ＮＡＣＫ信号を受信するまでその電力値を最適送信電力値として維持し、送信を繰り返してＮＡＣＫ信号を受信したところで電力値を最大に戻し、最適送信電力値の再設定を行っている。
【００６２】
図４は、本発明の実施の他の形態である周辺装置１０の送信電力値自動制御方法を示すフローチャートである。この送信電力値自動制御方法では、タイマ１２の所定時間、上昇させる送信電力値の所定量、下降させる送信電力値の所定量、送信成功の所定回数および送信失敗の所定回数が予め設定される。
【００６３】
ステップＳ２０１で、周辺装置１０は初期状態として送信電力を最大値に、送信成功カウンタ、送信失敗カウンタおよびタイマ１２のカウンタを初期値「０」に設定し、ステップＳ２０２で送信データが有るか否かを判断する。この判断で送信データが有りとされると、ステップＳ２０３でタイマ１２をリセットし、ステップＳ２０４で周辺装置１０はデータをシステム本体２０に送信する。ステップＳ２０５では、システム本体２０から返送される応答信号が、ＡＣＫ信号かＮＡＣＫ信号かを識別し、送信が成功したか否かを判断する。
【００６４】
ステップＳ２０５で、ＡＣＫ信号を受信し送信に成功したと判断された場合には、ステップＳ２０６で送信電力が最小か否かを判定し、最小でなければ送信失敗カウンタをクリアし（Ｓ２０７）、送信成功カウンタに１を加算する（Ｓ２０８）。ステップＳ２０９で、この送信成功カウンタの値と予め設定した送信成功の所定回数（送信成功回数の閾値）とを照合し、等しくないならステップＳ２０２へ戻り、等しいならステップＳ２１０で送信電力を予め設定した所定量分下げ、ステップＳ２０２へ戻る。ステップＳ２０６の判断で、送信電力が最小であると判断されると、ステップＳ２１７へ移る。
【００６５】
ステップＳ２０５で、ＮＡＣＫ信号を受信し送信に失敗したと判断された場合または応答信号を受信できなかった場合は、送信成功カウンタを０に戻し（Ｓ２１２）、送信失敗カウンタに１を加算し（Ｓ２１３）、送信電力が最大であるかを制御部１１で判断する（Ｓ２２４）。送信電力値が最大でなければ直ちに送信電力を所定量上げるとともにデータの再送を行い（Ｓ２１４）、送信電力値が最大であれば送信電力値を最大のままデータの再送を行う（Ｓ２２５）。
【００６６】
ステップＳ２１５では、再送に成功したか否かを判断し、再送に成功した場合は送信失敗カウンタの値と送信失敗の所定回数（送信失敗回数の閾値）とを照合し（Ｓ２１６）、等しくないなら送信電力を所定量下げて（Ｓ２１０）、ステップＳ２０２へ戻り送信データができるまで待機する。
【００６７】
ステップＳ２１６の判断で、送信失敗カウンタと予め定めた送信失敗の所定回数とが等しいと判断されたら、ステップＳ２１７へ移り、送信データの待機状態となる。その後、データの送信に成功し通信が続いている間は、ステップＳ２１４で上昇された送信電力値またはステップＳ２２５で送信電力値を最適送信電力値として維持したままステップＳ２１７からステップＳ２２０を繰返し、送信に成功しても送信電力を下げる動作を行わないので、無駄な送信を抑制することができる。
【００６８】
最適送信電力値を設定した後、ステップＳ２２０で送信失敗と判断された場合は、通信状態が変わっている可能性があるので、ステップＳ２２１で送信電力を最大に戻し再送を行い、送信失敗カウンタ、送信成功カウンタおよびタイマ１２を初期設定に戻し（Ｓ２２２）、ステップＳ２０２へ移り送信電力の再設定を行う。
【００６９】
もし、ステップＳ２１５で再送に失敗した場合は、連続送信失敗を避けるために送信電力を最大に上げ、データを再送する（Ｓ２２１）。その後、送信失敗カウンタ、送信成功カウンタおよびタイマ１２を初期値に戻し（Ｓ２２２）、ステップＳ２０２へ移り送信電力の再設定を行う。
【００７０】
また、ステップＳ２１１およびステップＳ２２３ではタイマ１２で経過時間をチェックし、通信が行われない時間が予め設定した所定時間続いた場合は、通信状態が変わっている可能性があるので、初期状態に戻し（Ｓ２０１）もう一度最適送信電力を設定し直す。
【００７１】
なお、送信成功の所定回数（送信成功回数の閾値）、送信失敗の所定回数（送信失敗回数の閾値）、降下させる送信電力の所定量、上昇させる送信電力の所定量およびタイマの所定時間は、無線通信システムに応じて最適な値を設定する。
【００７２】
図４に示す制御方法では、送信失敗の所定回数が複数回に設定されており、送信失敗がこの所定回数に達するまで繰り返しトライして、最適送信電力値を設定しているので、図２に示す送信失敗の所定回数が１回に設定される制御方法に比べて、ノイズなどの影響を受けにくい。
【００７３】
図５は、図４に示す送信電力値自動制御方法による送信電力値のレベル推移を示すグラフである。図５では、送信成功および送信失敗の前記所定回数を共に２回に設定した場合を示す。まず送信電力値最大で送信し、ＡＣＫ信号を２回連続で受信し、送信電力を所定量下げる動作を３回繰り返したとき、ＮＡＣＫ信号を受信し、送信電力を所定量上昇させ再送を行っている。この直後、ＡＣＫ信号を受信し、もう一度送信電力値を所定量下げて送信し、再び同じ電力値でＮＡＣＫ信号を受信し、送信失敗回数が所定回数と等しくなったので、この通信電力では低いと判断して送信電力を所定量上げて、この電力値を最適送信電力値として設定している。その後、ＮＡＣＫ信号を受信するまでその電力値を維持し、ＮＡＣＫ信号を受信したところで電力を最大に戻し、再設定を行っている。
【００７４】
このように、図２〜図５に示す送信電力値制御方法では、通信成功率をほとんど下げることなく、無駄な電力の消費を抑制することができ、通信状態に応じた最適送信電力を自動設定することが可能であり、無線通信機のバッテリの消費を削減することができる。
【００７５】
図６は、本発明のさらに他の実施形態である周辺装置１０の送信電力値自動制御方法を示すフローチャートである。この送信電力値自動制御方法では、タイマ１２の所定時間、上昇させる送信電力値の所定量、降下させる送信電力値の所定量、送信成功の所定回数、送信失敗Ａおよび送信失敗Ｂの所定回数が予め設定される。なお、上記送信失敗Ａとは、最適送信電力の探索時に送信を失敗することを指し、送信失敗Ｂとは最適送信電力の維持時に送信を失敗することを指す。
【００７６】
ステップＳ４０１で、周辺装置１０は初期状態として送信電力を最大値に、送信成功カウンタ、送信失敗カウンタＡ、送信失敗カウンタＢおよびタイマ１２のカウンタを初期値「０」に設定し、ステップＳ４０２で送信データがあるか否かを判断する。この判断で送信データありとされたら、タイマ１２のカウンタを初期値に戻し（Ｓ４０３）、ステップＳ４０４で周辺装置１０はデータをシステム本体２０に送信する。
【００７７】
ステップＳ４０５では、システム本体２０から返送される応答信号が、ＡＣＫ信号かＮＡＣＫ信号かを判別し、送信が成功したか否かを判断する。
【００７８】
ステップＳ４０５で、ＡＣＫ信号を受信し送信に成功したと判断された場合には、ステップＳ４０６で送信電力が最小か否かを制御部１１で判定し、最小でなければ送信失敗カウンタＡをクリアし（Ｓ４０７）、送信成功カウンタに１を加算する（Ｓ４０８）。ステップＳ４０９で、この送信成功カウンタの値と予め設定した送信成功の所定回数（送信成功回数の閾値）とを照合し、等しく無ければステップＳ４０２へ戻り、等しければステップＳ４１０で送信電力を予め設定した所定量分下げ、ステップＳ４０２へ戻る。ステップＳ４０６の判断で、送信電力が最小であると判断されると、ステップＳ４１７へ移る。
【００７９】
ステップＳ４０５で、ＮＡＣＫ信号を受信し送信に失敗したと判断された場合または応答信号を受信できなかった場合は、送信成功カウンタを０に戻し（Ｓ４１２）、送信失敗カウンタＡに１を加算し（Ｓ４１３）、送信電力が最大であるかを制御部１１で判断する（Ｓ４２４）。送信電力値が最大でなければ直ちに送信電力を所定量上げるとともにデータの再送を行い（Ｓ４１４）、送信電力値が最大であれば送信電力値を最大のままデータの再送を行う（Ｓ４２５）。
【００８０】
ステップＳ４１５で送信に成功と判断された場合、ステップＳ４１６の判断で、送信失敗カウンタＡの値と予め定める送信失敗Ａの所定回数（最適送信電力値の探索時に同一の電力値における送信失敗回数の閾値）とが等しいと判断されると、ステップＳ４１７へ移り、送信データの待機状態となる。その後、データの送信に成功し通信が続いている間は、ステップＳ４１４で上昇させた送信電力値またはステップＳ４２５の送信電力値を最適送信電力値として維持したままステップＳ４１７からステップＳ４２０、およびステップＳ４２６の一連の処理を繰り返す。したがって、送信に成功しても送信電力を下げる動作を行わないので、無駄な送信を抑制することができる。
【００８１】
最適送信電力値を設定した後、ステップＳ４２０で送信失敗と判断された場合は、送信失敗カウンタＢに１を加算する（Ｓ４２７）。ステップＳ４２８で、この送信失敗カウンタＢの値と予め設定した設定失敗Ｂの所定回数（最適送信電力値の維持時における送信失敗回数の閾値）とを照合し、等しく無ければデータ再送を行い（Ｓ４２９）、ステップＳ４２０へ戻る。等しければ通信状態が変わっている可能性があるので、送信電力を最大に戻し再送を行い（Ｓ４２１）、送信失敗カウンタＡ、送信失敗カウンタＢ、送信成功カウンタおよびタイマ１２を初期設定に戻し（Ｓ４２２）、ステップＳ４０２へ移り送信電力値の再設定を行う。
【００８２】
もし、ステップＳ４１５で再送に失敗した場合は、連続送信失敗を避けるために送信電力を最大に上げ、データを再送する（Ｓ４２１）。その後、送信失敗カウンタＡ、送信失敗カウンタＢ、送信成功カウンタおよびタイマ１２を初期値に戻し（Ｓ４２２）、ステップＳ４０２へ移り送信電力の再設定を行う。
【００８３】
また、ステップＳ４１１およびステップＳ４２３では、タイマ１２で経過時間をチェックし、通信が行われない時間が予め設定する所定時間続いた場合は、通信状態が変わっている可能性があるので、初期状態に戻し（Ｓ４０１）、再び最適送信電力を設定し直す。
【００８４】
なお、送信成功の所定回数、送信失敗Ａの所定回数、送信失敗Ｂの所定回数、降下させる送信電力の所定量、上昇させる送信電力の所定量およびタイマの所定時間は、無線通信システムに応じて最適な値が設定される。
【００８５】
図６に示す制御方法では、最適送信電力値を設定した後、送信失敗の所定回数が複数回に設定されており、送信失敗がこの所定回数に達するまで繰返しトライしているので、図２および図４に示す最適送信電力値での送信失敗の所定回数が１回に設定されている制御方法に比べて、ノイズなどの影響を受けにくいと言う利点がある。
【００８６】
図７では、図６に示す送信電力値自動制御方法による送信電力値のレベル推移を示すグラフである。図７では、送信成功、送信失敗Ａおよび送信失敗Ｂの前記所定回数（各閾値）をそれぞれ２回に設定した場合を示す。まず送信電力値が最大で送信し、ＡＣＫ信号を２回連続で受信し、送信電力を所定量下げる動作を２回繰り返したとき、ＮＡＣＫ信号を受信し、送信電力を所定量上昇させ再送を行っている。この直後、ＡＣＫ信号を受信し、もう一度送信電力値を所定量下げて送信し、ＡＣＫ信号を２回連続で受信し、送信電力を所定量下げたとき、ＮＡＣＫ信号を受信し、送信電力を所定量上昇させ再送を行っている。この直後、ＡＣＫ信号を受信し、もう一度送信電力値を所定量下げて送信したが、再び同じ電力値でＮＡＣＫ信号を受信し、同一電力値における失敗回数Ａが所定回数（本実施形態では２回）に等しくなったので、この送信電力では低いと判断して送信電力を所定量上げて、この電力値を最適送信電力値として設定している。その後、ＮＡＣＫ信号を２回連続して受信するまでその電力値を維持し、ＮＡＣＫ信号を２回連続で受信し、同一電力値における失敗回数Ｂが所定回数（本実施形態では２回）に等しくなったところで電力値を最大に戻し、再設定を行っている。
【００８７】
なお、本実施の形態では、無線通信機として、パーソナルコンピュータの周辺装置を例に説明したが、本発明は、たとえばコードレス電話の子機または携帯電話などの無線通信機に適用してもかまわない。
【００８８】
【発明の効果】
以上のように本発明によれば、送信電力値を最大値から下げていき、送信に失敗したときの電力値よりも所定量大きい電力値を最適送信電力値に設定するので、通信成功率を下げることなく、通信可能な最適消費電力で通信することができる。また、前記最適送信電力値を送信に失敗するまで維持するので、送信電力調整のために起こるデータの再送を減らすことができ、データを再送するために消費する電力を抑制することができる。したがって、本発明による送信電力値自動制御方法では、無線通信機の送信電力値を抑制することができ、無線通信機のバッテリの消費を削減することが可能となる。また、送信電力の制御におけるノイズなどの影響を低減することができる。
【図面の簡単な説明】
【図１】周辺装置１０およびシステム本体２０による無線通信システム１を示すブロック図である。
【図２】本発明の実施の一形態である周辺装置１０の送信電力値自動制御方法を示すフローチャートである。
【図３】本発明の実施の一形態である周辺装置１０の送信電力値自動制御方法による送信電力値のレベル推移を示すグラフである。
【図４】本発明の実施の他の形態である周辺装置１０の送信電力値自動制御方法を示すフローチャートである。
【図５】本発明の実施の他の形態である周辺装置１０の送信電力値自動制御方法による送信電力値のレベル推移を示すグラフである。
【図６】本発明のさらに他の実施形態である周辺装置１０の送信電力値自動制御方法を示すフローチャートである。
【図７】本発明のさらに他の実施形態である周辺装置１０の送信電力値自動制御方法による送信電力値のレベル推移を示すグラフである。
【図８】特開平１０−１３３３８号公報に開示される従来の無線通信機の送信電力値自動制御方法を示すフローチャートである。
【図９】従来の無線通信機において、前回の通信での送信電力値が今回の通信の最適値より大きい場合の送信電力値のレベル推移を示すグラフである。
【図１０】従来の無線通信機において、前回の通信での送信電力値が今回の通信の最適値より小さい場合の送信電力値のレベル推移を示すグラフである。
【符号の説明】
１  無線通信システム
１０  周辺装置
１１  制御部
１２  タイマ
１３  受信部
１４  送信部
１５  電力制御部
２０  システム本体
２１  制御部
２２  送信部
２３  受信部
【図１】
0003686836.tif 000002
【図２】
0003686836.tif 000003
【図３】
0003686836.tif 000004
【図４】
0003686836.tif 000005
【図５】
0003686836.tif 000006
【図６】
0003686836.tif 000007
【図７】
0003686836.tif 000008
【図８】
0003686836.tif 000009
【図９】
0003686836.tif 000010
【図１０】
0003686836.tif 000011